(57)【要約】【課題】多数の突起を備え履物に敷くインソールであって、使用者の足裏に合った最適の刺激を与えるものを提供する。【解決手段】第１発明のインソール２１は、複数の突起３２を備える特定の部位５１、５２、５３、５４を交換可能なブロック４１、４２、４３、４４に形成する。また、各ブロックの高さを変更可能とする。第２発明のインソール２２は、特定の部位５１、５２、５３、５４にある突起３４を交換可能に形成する。また、突起３４の高さを調整可能とする。【選択図】図２
2010099322.tif 000002
【特許請求の範囲】
【請求項１】
履物内に敷くインソールであって、
上面に足裏を押圧する多数の突起を備えると共に、複数の突起を備える特定の部位が交換可能なブロックに形成されていることを特徴とするインソール。
【請求項２】
前記ブロックが、その高さを変更可能である請求項１に記載のインソール。
【請求項３】
履物内に敷くインソールであって、
上面に足裏を押圧する多数の突起を備えると共に、特定の部位にある複数の突起が交換可能に形成されていることを特徴とするインソール。
【請求項４】
前記特定の部位にある突起が、その高さを変更可能である請求項３に記載のインソール。
【請求項５】
前記特定の部位が、土踏まずである請求項１乃至４の何れかに記載のインソール。
【請求項６】
前記特定の部位が、複数設けられている請求項１乃至５の何れかに記載のインソール。
【請求項７】
前記突起が、天然ゴムを素材とするものである請求項１乃至６の何れかに記載のインソール。
【請求項８】
前記履物が、サンダルである請求項１乃至７の何れかに記載のインソール。
【発明の詳細な説明】
【技術分野】
【０００１】
本発明は履物内に敷いて用いるインソールに関し、特に、上面に備える突起が足裏のツボを圧迫して血行を促進するインソールに関する。
【背景技術】
【０００２】
使用者の足裏を押圧する突起を備える履物は、例えば特許文献１に記載されている。また、特許文献２には、図８に示すような履物１１０が記載されており、この履物１１０は、アウトソール１１１、アウトソール１１１の上面に設けられるインソール１２０、及びアウトソールの上方前方部に形成されるアッパーソール１１２で構成されている。
【０００３】
インソール１２０は、合成樹脂で作られた基材１３１と、基材１３１の上面に一体に形成された多数の突起１３２とで構成されている。図９に示すように、それぞれの突起１３２は、中空部１４１を備えることによりエアクッションが形成されている。また、突起１３２の表面には複数の副突起１４２を備えることにより、足裏を細かく刺激するようになっている。
【０００４】
また、基材１３１の下面には突出する複数の付着突起１４３が形成されると共に、アウトソール１１１の上面には収容孔１４４が形成され、付着突起１４３を収容孔１４４に挿入することにより、インソール１２０がアウトソール１１１に結合されるようになっている。
【０００５】
このように突起を備える履物は、足裏の土踏まず等に対して刺激を加えることにより指圧効果を与え、血液の循環やリンパ液の流れを促進する作用があると言われている。そして、日常生活の中でこのような刺激を与えることができれば、内臓や全身の筋肉等に作用して疲労回復や健康増進に機能すると言われている。
【０００６】
しかしながら、使用者の足裏の形状や大きさには個人によって大きな差があり、また、使用者が希望する足裏の部位や刺激の強さについても個人差が大きい。したがって、従来の履物又はインソールを使用する限り、一人一人に最適な状態で足裏の部位に刺激を与えることができない。
【特許文献１】特開２００４−６５８１８号公報
【特許文献２】特表２００４−５２６５２７号公報
【発明の開示】
【発明が解決しようとする課題】
【０００７】
したがって、本発明の目的は、履物内に敷くインソールであって、上面に足裏を押圧する多数の突起を備えると共に、使用者自身が突起の高さや大きさを簡単に調節することができるインソールを提供することにある。そして、使用者自身が、自分の足裏の各部位に最適な刺激を会得することにより、疲労回復や健康増進の機能を最大に導き出すことが可能なインソールを提供することにある。
【課題を解決するための手段】
【０００８】
上記の課題を解決するために、本発明の請求項１に係るインソールは、履物内に敷くインソールであって、上面に足裏を押圧する多数の突起を備えると共に、複数の突起を備える特定の部位が交換可能なブロックに形成されている手段を採用している。また、本発明の請求項２に係るインソールは、請求項１に記載のインソールであって、前記ブロックが、その高さを変更可能である手段を採用している。
【０００９】
また、本発明の請求項３に係るインソールは、履物内に敷くインソールであって、上面に足裏を押圧する多数の突起を備えると共に、特定の部位にある複数の突起が交換可能に形成されている手段を採用している。また、本発明の請求項４に係るインソールは、請求項３に記載のインソールであって、前記特定の部位にある突起が、その高さを変更可能である手段を採用している。
【００１０】
また、本発明の請求項５に係るインソールは、請求項１乃至４の何れかに記載のインソールにおいて、前記特定の部位が、土踏まずである手段を採用している。また、本発明の請求項６に係るインソールは、請求項１乃至５に記載のインソールにおいて、前記特定の部位が、複数設けられている手段を採用している。
【００１１】
また、本発明の請求項７に係るインソールは、請求項１乃至６の何れかに記載のインソールにおいて、前記突起が、天然ゴムを素材とするものである手段を採用している。また、本発明の請求項８に係るインソールは、請求項１乃至７の何れかに記載のインソールにおいて、前記履物がサンダルである手段を採用している。
【発明の効果】
【００１２】
本発明のインソールは、上記の手段を採用することにより、前述の課題を解決することができる。すなわち、第１の発明に係るインソールは、上面に足裏を押圧する多数の突起を備えると共に、特定の部位のブロックを交換することができる。そして、突起の高さや、形状、数量等が異なる複数のブロックを用意することができる。または、ブロックの高さを自由に変更することができる。したがって、使用者自身が、自分の足裏の形状に合わせて購入することができる。また、複数のブロックを購入して、その時々の希望に合わせて自分で交換して使用することができる。或いはブロックの高さを調整することができる。
【００１３】
また、第２の発明に係るインソールは、上面に足裏を押圧する多数の突起を備えると共に、特定の部位にある複数の突起を交換することができる。そして、高さや形状が異なる複数の突起を用意することができる。または、特定部位にある突起の高さを変更することができる。したがって、使用者自身が、自分の足裏の形状に合わせて購入することができる。また、予備の突起を購入して、その時々の希望に合わせて自分で交換して使用することができる。或いは突起の高さを調整することができる。
【００１４】
使用者は、インソールのブロックを交換したりブロックの高さを調整したりすることにより、或いは突起を交換して使用したり突起の高さを調整したりすることにより、自分の足裏の各部位に最適な刺激を得ることができる。そして、使用者自身が最適な機能を導き出すことにより、疲労回復や健康増進に役立てることができる。
【発明を実施するための最良の形態】
【００１５】
以下、本発明を図１〜図７に示す実施例により説明するが、これらの図は本願発明を何ら限定するものではない。本発明のインソール２１、２２は、図１に示すように、サンダル等の履物１０内に敷いて使用されるものである。履物１０としては、サンダルの他、普通の靴やスリッパ等も含まれる。この履物１０には、底部を形成するアウトソール１１と、アウトソール１１の内側に敷いて使用されるインソール２１、２２と、帯部となるアッパーソール１２を備えている。
【００１６】
履物１０は、図２に示すように、インソール２１、２２の装着と脱着が容易であり、また、着用時のフィット感を調節できるものが好ましい。このため、アッパーソール１２が２つの部材からなり、面テープ等によって分離と結合が自由にできるものが好ましい。このような形態とすることにより、使用者自身が、自由にインソール２１、２２の調整を行うことができる。
【００１７】
本発明のインソール２１、２２は、図３に示すように基材３１の表面に多数の突起３２を備えたものを基本要件としている。基材３１と突起３２は、同一の材質で一体に形成することが経済的である。また、材質としては、軟質の合成樹脂又は合成樹脂が経済的であるが、マッサージ効果は天然ゴムが優れている。
【００１８】
第１の発明に係るインソール２１の実施形態を図４及び図５に示す。インソール２１は、複数の突起３２を備える特定の部位が、交換可能なブロックに形成されていることを特徴としている。インソール２１では、特定の部位５１、５２、５３、５４に対応して、ブロック４１、４２、４３、４４を備えている。
【００１９】
足裏には、体の各部に影響を及ぼすツボが集中しており、特定の部位は、その中でも特に重要なツボから選択されることが好ましい。部位５１は、土踏まずと言われる足の内側の部位であり、すい臓、胃、十二指腸、膀胱等のツボとなっている。また、部位５２は爪先の部位であり、頭部や脳下垂体等のツボとなっている。また、部位５３は踵の部位であり、生殖腺のツボとなっている。また、部位５４は足の外側の部位であり、心臓、肝臓、胆嚢、脾臓等のツボとなっている。
【００２０】
図５に示すように、他の部位と同様に、各ブロック４１〜４４も基材３１と突起３２で構成されてはいるが、夫々インソール２１からの取り外しが可能となっている。そして、一つの部位に対して、夫々突起３２の高さや、形状、数量等が異なる複数のブロックが用意され、その中から適宜選択して使用することができるようになっている。
【００２１】
また、各ブロック４１〜４４は、その底に布等を敷くことによりその高さを変更することができる。或いは、基材３１の材質等で各ブロック４１〜４４と同断面の薄い敷物を作ることができる。すなわち、各ブロック４１〜４４を交換することなく、その高さを変更することができる。
【００２２】
したがって、使用者は、インソール２１を購入する際に、自分の足裏の形状に合わせて最適なブロック４１〜４４を選定して購入することができる。また、一つの部位に対して、複数のブロックを購入しておき、使用する時々の希望に合わせて自分で交換して使用することができる。或いは、ブロック４１〜４４の高さを調整することができる。
【００２３】
次に、第２の発明に係るインソール２２の実施形態を図６及び図７に示す。インソール２２は、特定の部位にある複数の突起３４が、交換可能に形成されていることを特徴としている。インソール２２では、４つの部位５１、５２、５３、５４（突起３４に斜線を付して示している）を備えている。
【００２４】
足裏には、体の各部に影響を及ぼすツボが集中しており、特定の部位は、その中でも特に重要なツボから選択されることが好ましい。部位５１は、土踏まずと言われる足の内側の部位であり、すい臓、胃、十二指腸、膀胱等のツボとなっている。また、部位５２は爪先の部位であり、頭部や脳下垂体等のツボとなっている。また、部位５３は踵の部位であり、生殖腺のツボとなっている。また、部位５４は足の外側の部位であり、心臓、肝臓、胆嚢、脾臓等のツボとなっている。
【００２５】
図７に示すように、特定の部位５１〜５４も基材３１と突起３４で構成されているが、各突起３４が取付孔３３に差し込まれており、交換可能な状態に形成されている。そして、一つの部位に対して、夫々の高さや形状等が異なる複数の突起３４が用意されており、その中から適宜選択して使用することができるようになっている。
【００２６】
また、各突起３４は、その底に布等を敷くことによりその高さを変更することができる。或いは、基材３１の材質等で各突起３４と同断面の薄い敷物を用意することができる。すなわち、各突起３４を交換することなく、その高さを変更することができる。
【００２７】
したがって、使用者は、インソール２２を購入する際に、自分の足裏の形状に合わせて最適な突起３２、３４の配列となるように、突起３４を調整して購入することができる。また、種々の形状の突起３４を購入しておき、使用する時々の希望に合わせて自分で交換して使用することができる。或いは、突起３４の高さを調整することができる。
【００２８】
使用者は、インソール２１のブロック４１〜４４を交換して使用することにより、またはブロック４１〜４４の高さを調整することにより、或いはインソール２２の突起３４を交換して使用することにより、または突起３４の高さを調整することにより、自分の足裏の各部位に最適な刺激を得ることができる。そして、使用者自身が最適な機能を導き出すことにより、疲労回復や健康増進に役立てることができる。
【図面の簡単な説明】
【００２９】
【図１】本発明のインソールを備える履物の概略斜視図である。
【図２】図１の履物においてインソールの着脱を示す概略斜視図である。
【図３】本発明のインソールを示す概略平面図である。
【図４】第１の発明に係るインソールを示す概略平面図である。
【図５】図４に示すインソールの特定部位を示す概略断面図である。
【図６】第２の発明に係るインソールを示す概略平面図である。
【図７】図６に示すインソールの特定部位を示す概略断面図である。
【図８】突起を備える履物の従来の例を示す概略斜視図である。
【図９】図８に示す履物の突起を示す概略断面図である。
【符号の説明】
【００３０】
１０、１１０  履物
１１、１１１  アウトソール
１２、１１２  アッパーソール
２１、２２、１２０  インソール
３１、１３１  基材
３２、３４、１３２  突起
３３  取付孔
４１、４２、４３、４４  ブロック
５１、５２、５３、５４  部位
１４１  中空部
１４２  副突起
１４３  付着突起
１４４  収容孔
【図１】
2010099322.tif 000003
【図２】
2010099322.tif 000004
【図３】
2010099322.tif 000005
【図４】
2010099322.tif 000006
【図５】
2010099322.tif 000007
【図６】
2010099322.tif 000008
【図７】
2010099322.tif 000009
【図８】
2010099322.tif 000010
【図９】
2010099322.tif 000011